(57)【要約】【課題】電極端子が回路基板上に配置され、それによってランプキャップの構造上の複雑さを低減する発光装置を提供する。【解決手段】帯状回路基板と、幾つかの発光素子と、第１の端子対と、第２の端子対とを含む発光装置が提供される。帯状回路基板は第１の側部と第２の側部とを含む。第１の端子対および第２の端子対は、第１の側部および第２の側部にそれぞれ配置され、発光素子と電気接続される。第１の端子対は、第１のベースと、第２のベースと、第１の正極と、第１の負極とを含む。第１の正極および第１の負極は、第１のベースおよび第２のベースに対してそれぞれ回転可能に接続される。第２の端子対は、第３のベースと、第４のベースと、第２の正極と、第２の負極とを含む。第２の正極および第２の負極は、第３のベースおよび第４のベースに対してそれぞれ回転可能に接続される。【選択図】図１
2015037073.tif 000002
【特許請求の範囲】
【請求項１】
第１の側部および第２の側部を有する帯状回路基板であって、互いに平行かつ反対向きの第１の面および第２の面が前記第１の側部と前記第２の側部との間に位置し、前記回路基板の中央部が前記第１の側部に向かって延びる方向が第１の方向として定義され、前記回路基板の中央部が前記第２の側部に向かって延びる方向が第２の方向として定義される帯状回路基板と、
前記帯状回路基板の前記第１の面上に配置された複数の発光素子と、
前記帯状回路基板の前記第１の側部および前記第２の側部の前記第１の面にそれぞれ配置され、前記発光素子と電気接続される第１の端子対および第２の端子対であって、前記第１の端子対が、第１のベースと、第２のベースと、第１の正極と、第１の負極とを含み、前記第１の正極および前記第１の負極が、前記第１のベースおよび前記第２のベースに対してそれぞれ回転可能に接続され、前記第１の方向と前記第２の方向との間で自由に回転可能であり、前記第２の端子対が、第３のベースと、第４のベースと、第２の正極と、第２の負極とを含み、前記第２の正極および前記第２の負極が、前記第３のベースおよび前記第４のベースに対してそれぞれ回転可能に接続され、前記第１の方向と前記第２の方向との間で自由に回転可能である第１の端子対および第２の端子対と、
を含むことを特徴とする発光装置。
【請求項２】
前記第１のベース、前記第２のベース、前記第３のベース、及び前記第４のベースは、それぞれ、第１の回転軸、第２の回転軸、第３の回転軸、及び第４の回転軸を含み、
前記第１の正極、前記第１の負極、前記第２の正極、及び前記第２の負極は回転軸を介して前記第１の方向と前記第２の方向との間で回転される、
ことを特徴とする請求項１に記載の発光装置。
【請求項３】
前記発光素子を前記第１の正極、前記第１の負極、前記第２の正極、及び前記第２の負極とそれぞれ電気接続するために、第１の半田パッド、第２の半田パッド、第３の半田パッド、及び第４の半田パッドが、前記第１のベース、前記第２のベース、前記第３のベース、及び前記第４のベースの下にそれぞれ配置される、
ことを特徴とする請求項２に記載の発光装置。
【請求項４】
前記発光素子と前記第１の端子対と前記第２の端子対との間、または、前記発光素子と前記第１の端子対との間、または、前記発光素子と前記第２の端子対との間に電気接続される電源をさらに含む、
ことを特徴とする請求項３に記載の発光装置。
【請求項５】
前記発光素子は発光ダイオード（ＬＥＤ）である、
ことを特徴とする請求項４に記載の発光装置。
【請求項６】
２つの端部が、それぞれ、第１の端部および第２の端部である透明中空管をさらに含み、
前記帯状回路基板は前記透明中空管内部に配置され、前記帯状回路基板の前記第１の側部および前記第２の側部は、前記第１の端部および前記第２の端部にそれぞれ対応する、
ことを特徴とする請求項１〜５のいずれか１項に記載の発光装置。
【請求項７】
前記第１の端部および前記第２の端部に対してそれぞれ脱着可能に装着された第１のエンドキャップおよび第２のエンドキャップをさらに含み、
前記第１のエンドキャップおよび前記第２のエンドキャップは、第１の穴対および第２の穴対をそれぞれ有し、それを通って前記第１の端子対および前記第２の端子対が前記第１のエンドキャップおよび前記第２のエンドキャップをそれぞれ貫通している、
ことを特徴とする請求項６に記載の発光装置。
【発明の詳細な説明】
【技術分野】
【０００１】
本発明は、一般に、発光装置に関し、より詳細には、電極端子が回路基板上に配置された発光装置に関する。
【背景技術】
【０００２】
従来のランプ管の各電極端子対はランプキャップと一体となっている。ランプキャップの各端子対をＬＥＤと電気接続するには、ランプキャップの電極端子対に導線を手作業で半田付けしなければならない。しかしながら、そのようなランプキャップの構造は複雑かつ設計が困難で、導線を手作業で半田付けする工程には時間がかかり、不良発生率も高い。
【０００３】
特許文献１ではＬＥＤ管がランプキャップを備えている。そのようなランプキャップもやはり上記の欠点を有している。
【先行技術文献】
【特許文献】
【０００４】
【特許文献１】台湾特許第Ｍ４３９８９８号
【発明の概要】
【発明が解決しようとする課題】
【０００５】
本発明は、その電極端子が回路基板上に配置され、それによってランプキャップの構造上の複雑さを低減する発光装置に関する。
【課題を解決するための手段】
【０００６】
本発明の一実施形態によれば、発光装置が提供される。前記発光装置は、帯状回路基板と、幾つかの発光素子と、第１の端子対と、第２の端子対とを備える。前記帯状回路基板は第１の側部と第２の側部とを有し、互いに平行かつ反対向きの第１の面および第２の面が前記第１の側部と前記第２の側部との間に位置する。前記第１の側部に向かって延びる前記回路基板の中央部は第１の方向として定義され、前記第２の側部に向かって延びる前記回路基板の中央部は第２の方向として定義される。前記発光素子は前記回路基板の前記第１の面に配置される。前記第１の端子対および前記第２の端子対は、前記回路基板の前記第１の側部および前記第２の側部の前記第１の面に配置され、前記発光素子に対して電気接続される。前記第１の端子対は、第１のベースと、第２のベースと、第１の正極と、第１の負極とを備える。前記第１の正極および前記第１の負極は、前記第１のベースおよび前記第２のベースに対してそれぞれ回転可能に接続され、前記第１の方向と前記第２の方向との間で自由に回転可能である。前記第２の端子対は、第３のベースと、第４のベースと、第２の正極と、第２の負極とを備える。前記第２の正極および前記第２の負極は、前記第３のベースおよび前記第４のベースに対してそれぞれ回転可能に接続され、前記第１の方向と前記第２の方向との間で自由に回転可能である。
【０００７】
本発明の上記態様およびその他の態様は、好適だが限定的でない実施形態の以下の詳細な説明によってより良く理解されるであろう。以下の説明において、添付図面を参照する。
【図面の簡単な説明】
【０００８】
【図１】本発明の一実施形態による発光装置の分解組立図である。
【図２】図１の組み合わせ図である。
【図３】図２の第１のエンドキャップの断面図である。
【発明を実施するための形態】
【０００９】
図１は、本発明の一実施形態に係る発光装置の分解組立図である。ランプ管などの発光装置１００は例えばランプ管等であり、帯状回路基板１１０と、第１の半田パッド１１１と、第２の半田パッド１１２と、第３の半田パッド１１３と、第４の半田パッド１１４と、いくつかの発光素子１２０と、第１の端子対１３０と、第２の端子対１４０と、透明中空管１５０と、電源１６０と、第１のエンドキャップ１７０と、第２のエンドキャップ１８０とを含む。
【００１０】
帯状回路基板１１０は、第１の側部１１０ｅ１および第２の側部１１０ｅ２を有する。第１の面１１０ｓ１および第２の面１１０ｓ２は互いに平行で反対向きであり、第１の側部１１０ｅ１と第２の側部１１０ｅ２との間に位置する。帯状回路基板１１０の中央部が第１の側部１１０ｅ１および第２の側部１１０ｅ２に向かって延びる方向をそれぞれ第１の方向Ｄ１および第２の方向Ｄ２と定義する。
【００１１】
発光素子１２０は例えば発光ダイオード（ＬＥＤ）等であり、帯状回路基板１１０の第１の面１１０ｓ１に配置される。
【００１２】
第１の端子対１３０は、表面実装技術（ＳＭＴ）を用いることによって帯状回路基板１１０の第１の側部１１０ｅ１の第１の面１１０ｓ１に配置され、発光素子１２０と電気接続される。第１の端子対１３０は、第１のベース１３１と、第２のベース１３２と、第１の正極１３３と、第１の負極１３４とを含む。第１の正極１３３および第１の負極１３４は、第１のベース１３１および第２のベース１３２に対してそれぞれ回転可能に接続され、第１の方向Ｄ１と第２の方向Ｄ２との間で自由に回転できる。詳細には、第１の端子対１３０は、第１のベース１３１および第１の正極１３３を回転可能に接続する第１の回転軸１３５をさらに含み、それによって第１の正極１３３は第１の回転軸１３５を介して第１の方向Ｄ１と第２の方向Ｄ２との間で回転可能である。第１の正極１３３は、第１の方向Ｄ１と第２の方向Ｄ２との間で自由に回転可能である。帯状回路基板１１０が切断される前に、第１の正極１３３を内側に折り込むことができ、それによって、第１の正極１３３の突出が切削工具の動きを妨害することを回避できる。
【００１３】
同様に、第１の端子対１３０は、第２のベース１３２および第１の負極１３４を回転可能に接続する第２の回転軸１３６をさらに含み、それによって第１の負極１３４は第２の回転軸１３６を介して第１の方向Ｄ１と第２の方向Ｄ２との間で回転可能である。第１の負極１３４は、第１の方向Ｄ１と第２の方向Ｄ２との間で自由に回転可能である。帯状回路基板１１０が切断される前に、第１の負極１３４を内側に折り込むことができ、それによって、第１の負極１３４の突出が切削工具の動きを妨害することを回避できる。
【００１４】
第１のベース１３１および第２のベース１３２は導電材料によって形成可能であり、第１の半田パッド１１１および第２の半田パッド１１２に配置されて、それによって第１の半田パッド１１１および第２の半田パッド１１２のそれぞれが電気接続される。幾つかの配線１１５は、半田パッド（第１の半田パッド１１１および第２の半田パッド１１２）と発光素子１２０とを接続し、それによって第１の正極１３３は第１のベース１３１、第１の半田パッド１１１および配線１１５を介して発光素子１２０と電気接続される。第１の負極１３４は、第２のベース１３２、第２の半田パッド１１２および配線１１５を介して発光素子１２０と電気接続される。組立時の手作業の半田付け工程を削減するために、配線１１５、第１の半田パッド１１１および第２の半田パッド１１２を、電気メッキまたはその他の材料によって帯状回路基板１１０に事前に形成してもよい。
【００１５】
第１のベース１３１および第１の正極１３３は、それぞれ上面１３１ｕおよび上面１３３ｕを有する。第１の正極１３３の上面１３３ｕは、第１のベース１３１の上面１３１ｕよりも高い、もしくはそれと並んでいるため、表面実装技術（ＳＭＴ）中に吸引ノズル（不図示）が第１の正極１３３を簡便に吸引可能である。第２のベース１３２および第１の負極１３４も同様の特徴を有する。同様の点についてはここでは繰り返さない。
【００１６】
第２の端子対１４０は、表面実装技術を用いて帯状回路基板１１０の第２の側部１１０ｅ２の第１の面１１０ｓ１に配置され、発光素子１２０と電気接続される。第２の端子対１４０は、第３のベース１４１と、第４のベース１４２と、第２の正極１４３と、第２の負極１４４とを含む。第２の正極１４３および第２の負極１４４は、第３のベース１４１および第４のベース１４２に対してそれぞれ回転可能に接続され、第１の方向Ｄ１と第２の方向Ｄ２との間で自由に回転可能である。より詳細に説明すると、第２の端子対１４０は、それを介して第２の正極１４３が第１の方向Ｄ１と第２の方向Ｄ２との間で回転可能となる第３の回転軸１４５をさらに含む。第２の正極１４３および第２の負極１４４は、第１の方向Ｄ１と第２の方向Ｄ２との間で自由に回転可能である。帯状回路基板１１０が切断される前に、第２の正極１４３を内側に折り込むことができ、それによって、第２の正極１４３が突き出て切削工具の動きを妨害することを回避できる。
【００１７】
同様に、第２の端子対１４０は、それを介して第２の負極１４４が第１の方向Ｄ１と第２の方向Ｄ２との間で回転可能となる第４の回転軸１４６をさらに含む。第２の負極１４４は、第１の方向Ｄ１と第２の方向Ｄ２との間で自由に回転可能である。帯状回路基板１１０が切断される前に、第２の負極１４４を内側に折り込むことができ、それによって、第２の負極１４４の突出が切削工具の動きを妨害することを回避できる。
【００１８】
第３のベース１４１および第４のベース１４２は導電材料によって形成可能であり、第３の半田パッド１１３および第４の半田パッド１１４にそれぞれ配置され、それによって第３の半田パッド１１３および第４の半田パッド１１４のそれぞれが電気接続される。幾つかの配線１１５は、半田パッド（第３の半田パッド１１３および第４の半田パッド１１４）と発光素子１２０とを接続し、それによって第２の正極１４３は第３のベース１４１、第３の半田パッド１１３および配線１１５を介して発光素子１２０と電気接続され、第２の負極１４４は、第４のベース１４２、第４の半田パッド１１４および配線１１５を介して発光素子と電気接続される。組立時の手作業の半田付け工程を削減するために、第３の半田パッド１１３および第４の半田パッド１１４を、電気メッキまたはその他の材料によって帯状回路基板１１０に事前に形成してもよい。
【００１９】
第３のベース１４１および第２の正極１４３は、上面１４１ｕおよび上面１４３ｕをそれぞれ有する。第２の正極１４３の上面１４３ｕは、第３のベース１４１の上面１４１ｕよりも高い、もしくはそれと並んでいるため、表面実装技術（ＳＭＴ）中に吸引ノズル（不図示）が第２の端子対１４０を簡便に吸引可能である。第４のベース１４２および第２の負極１４４も同様の特徴を有する。同様の点についてはここでは繰り返さない。
【００２０】
透明中空管１５０の２つの端部は、それぞれ第１の端部１５０ｅ１および第２の端部１５０ｅ２である。帯状回路基板１１０は透明中空管１５０内に配置される。帯状回路基板１１０の第１の側部１１０ｅ１および第２の側部１１０ｅ２は、それぞれ、第１の端部１５０ｅ１および第２の端部１５０ｅ２に対応する（図２参照）。
【００２１】
電源１６０は、発光素子１２０と第１の端子対１３０および／または第２の端子対１４０との間で電気接続され、発光素子１２０の発光モードを制御する。
【００２２】
図２は、図１の組立図である。透明中空管１５０を取り付けるために、第１のエンドキャップ１７０および第２のエンドキャップ１８０は、第１の端部１５０ｅ１および第２の端部１５０ｅ２にそれぞれ脱着可能に取り付けられる。第１のエンドキャップ１７０は第１の穴対１７０ｈを有し、それを通って第１の端子対１３０が第１のエンドキャップ１７０を貫通している。同様に第２のキャップ１８０は第２の穴対（視野角の問題で図示できない）を有し、それを通って第２の端子対１４０が第２のエンドキャップ１８０を貫通している。
【００２３】
図３は、図２の第１のエンドキャップの断面図である。一実施形態において、第１のエンドキャップ１７０は、絶縁材料（プラスチックなど）の注入によって形成可能である。第１の端子対１３０は、第１のエンドキャップ１７０の外側にあって、第１のベース１３１と結合されており、第１のエンドキャップ１７０の構造は非常に簡略化され、設計上の複雑さが大幅に低減される。第２のエンドキャップ１８０の構造は第１のエンドキャップ１７０と同様である。同様の点についてはここでは繰り返さない。
【００２４】
実施例を用いて、好適な実施形態に関して本発明を説明したが、本発明はそれらに限定されない。逆に、様々な修正および類似の配置および手順を網羅することが意図されており、このため添付の請求項の範囲はもっとも広く解釈されるべきものであり、それによって上記の修正および類似の配置および手順のすべてを包含する。
【図１】
2015037073.tif 000003
【図２】
2015037073.tif 000004
【図３】
2015037073.tif 000005
【外国語明細書】
2015037073000001.pdf